(57)【要約】【課題】プロジェクタの姿勢を変更した場合でも、光源ランプ（発光管）の上方側と下方側とに偏った温度差を生じさせず、温度分布が一様となるように冷却風を送風できる構成を実現し、光源ランプの長寿命化とプロジェクタの投写品質を向上するプロジェクタを提供すること。【解決手段】プロジェクタ１は、発光により光束を射出する発光管３１１を有する光源ランプ３１と、発光管３１１に対して空気を送風し、発光管３１１を冷却する２つの冷却ファン（第１冷却ファン７５、第２冷却ファン７６）と、を備え、第１冷却ファン７５と第２冷却ファン７６による空気の各送風方向は、光束の光軸Ａを通る平面Ｂに略平行で略同方向にそれぞれ設定されている。【選択図】図５
2009198640.tif 000002
【特許請求の範囲】
【請求項１】
発光により光束を射出する発光管を有する光源ランプと、
前記発光管に対して空気を送風し、前記発光管を冷却する２つの冷却ファンと、を備え、
前記２つの冷却ファンによる空気の各送風方向は、前記光束の光軸を通る平面に略平行で略同方向にそれぞれ設定されていることを特徴とするプロジェクタ。
【請求項２】
請求項１に記載のプロジェクタであって、
前記冷却ファンの各吐出口は、前記平面に略隣接し、略対称に配置されていることを特徴とするプロジェクタ。
【請求項３】
請求項１または請求項２に記載のプロジェクタであって、
前記２つの冷却ファンの動作を制御するファン駆動制御部を備え、
前記ファン駆動制御部は、当該プロジェクタを所定の第１姿勢と所定の第２姿勢とに切り替えて画像光を投写させる場合、前記第１姿勢と前記第２姿勢との姿勢に応じて、前記２つの冷却ファンの動作を制御することを特徴とするプロジェクタ。
【請求項４】
請求項３に記載のプロジェクタであって、
前記ファン駆動制御部は、前記第１姿勢と前記第２姿勢との姿勢に応じて、前記平面の上方で送風することになる一方の前記冷却ファンが、前記平面の下方で送風することになる他方の前記冷却ファンに比べて風量が多くなるように送風する制御を行なうことを特徴とするプロジェクタ。
【請求項５】
請求項１〜請求項４のいずれか一項に記載のプロジェクタであって、
前記２つの冷却ファンは、遠心力ファンであり、相互に向かい合わせて外形が略一致するように重ねた場合に、前記略同方向に送風可能となるように、相互にミラー反転した構成を有していることを特徴とするプロジェクタ。
【発明の詳細な説明】
【技術分野】
【０００１】
本発明は、プロジェクタに関する。
【背景技術】
【０００２】
従来、光源ランプと、光源ランプから射出された光束を画像情報に応じて変調して画像光を形成する光変調装置と、画像光を投写する投写光学装置とを備えたプロジェクタが知られている。このようなプロジェクタにおいて、光源ランプは、一対の電極間を高電圧で放電させて発光させる放電式の発光管と、発光管で発光した光束を反射させて同方向に向かせる凹面形状を有し、発光管を保持固定するリフレクタとを有して構成される。また、光源ランプは、リフレクタを収容し、リフレクタからの光束の射出側に透光性部材を設置し、リフレクタと透光性部材と枠体とでリフレクタの反射面側が密閉された構造となっている。また、プロジェクタは、机上などの設置面に載置して使用するいわゆる正置き姿勢と、正置き姿勢に対して上下が逆となるように天井などから吊り下げて使用するいわゆる天吊り姿勢との２通りの姿勢で使用されている。
【０００３】
そして、光源ランプは、発光管の発光に伴う発熱で発光管内の温度が上昇して熱対流が生じ、発光管の上方側と下方側とに温度差が生じてしまう。特に、発光管の最大温度部（通常は、上方側）が下方側に比べて高温側に偏り過ぎることにより、発光管の内壁に白化が生じることになる。また逆に、発光管の最低温度部（通常は、下方側）が上方側に比べて低温側に偏り過ぎることにより、発光管の内壁に黒化が生じることになる。このような現象が発生した場合には、光源ランプの明るさが低下（光源ランプの発光性能劣化）し、プロジェクタから投写される画像光の明るさが低下してしまうことになる。当然、光源ランプの寿命が短くなってしまう。なお、正置き姿勢、天吊り姿勢の両方の姿勢において、上述した白化や黒化の現象を発生させないためには、光源ランプ（発光管）の上方側と下方側とに偏った温度差を生じさせず、上方側と下方側との温度分布が一様となるように冷却風を送風することが必要となる。
【０００４】
なお、特許文献１には、光源装置の冷却風流入口に冷却風の流れを分割、制御する冷却風制御部材を設け、この冷却風制御部材は、移動自在、或いは自重により移動自在に取り付けられることで、プロジェクタが正置き姿勢、天吊り姿勢の両方の姿勢でも、適切な冷却風が発光管（光源ランプ）に流れるようにした技術が開示されている。
【０００５】
【特許文献１】特開２００５−１７３０８５号公報
【発明の開示】
【発明が解決しようとする課題】
【０００６】
しかし、特許文献１に開示される技術では、プロジェクタの姿勢を切り替えた場合、ユーザが冷却風制御部材を移動させることが必要となるため、移動させることを忘れることがある。また、プロジェクタの内部に収容する光源装置を操作することになるため、ユーザに操作を行なわせることには無理がある。また、冷却風制御部材を比重の高い材質で構成し、その自重により移動させることも開示しているが、信頼性が低い面がある。
【０００７】
従って、プロジェクタを正置き姿勢や天吊り姿勢に切り替えた場合に、ユーザに負担を掛けずに、光源ランプ（発光管）の上方側と下方側とに偏った温度差を生じさせず、上方側と下方側との温度分布が一様となるように冷却風を送風できる構成を実現し、光源ランプの長寿命化とプロジェクタの投写品質向上が課題となっていた。
【課題を解決するための手段】
【０００８】
本発明は、上述した課題の少なくとも一部を解決するためになされたものであり、以下の形態または適用例として実現することが可能である。
【０００９】
（適用例１）本適用例に係るプロジェクタは、（ａ）発光により光束を射出する発光管を有する光源ランプと、（ｂ）発光管に対して空気を送風し、発光管を冷却する２つの冷却ファンと、を備え、２つの冷却ファンによる空気の各送風方向は、光束の光軸を通る平面に略平行で略同方向にそれぞれ設定されていることを特徴とする。
【００１０】
上記プロジェクタでは、発光管を有する光源ランプと、発光管を冷却する２つの冷却ファンとを備える。そして、２つの冷却ファンによる空気の各送風方向は、光束の光軸を通る平面に略平行で略同方向にそれぞれ設定されている。このように、２つの冷却ファンの各送風方向は、光軸を通る平面に略平行で略同方向となるように設定されることにより、発光管に対し、発光管の光軸を通る平面の上方側となる領域と、下方側となる領域とを、光源ランプに対して同じ側から、それぞれの冷却ファンで効率よく冷却することができる。このように送風方向を設定することにより、プロジェクタを正置き姿勢や天吊り姿勢に切り替えた場合でも、光源ランプ（発光管）の上方側と下方側とに偏った温度差を生じさせず、上方側と下方側との温度分布が一様となるように冷却風を送風できる。それにより、発光管の白化や黒化の現象を抑制できるため、光源ランプの寿命劣化を抑制でき、光源ランプの長寿命化を図ることができる。また、発光管の白化や黒化の現象を抑制できるため、光源ランプの輝度低下を抑制でき、プロジェクタの投写品質も向上できる。
【００１１】
なお、「光軸を通る平面」とは、基本的には、光源ランプから射出された光束の光軸は、例えば反射ミラーなどにより、反射して方向を変化させることになるが、光源ランプから射出された光束の光軸と、方向を変化させた光軸とにより形成される平面を言う。また、プロジェクタを水平な机上面に載置し（ただし、投写角度調整をしていない場合）、光源ランプから射出された光束の光軸と机上面とは略平行である場合に、光源ランプから射出された光束の光軸を通り机上面と平行となる平面を「光軸を通る平面（水平面）」と言い換えてもよい。この場合、光源ランプから射出された光束の光軸が机上面に対して傾いた場合、言い換えれば、プロジェクタが机上面に対して傾いた（投写角度調整を行なった）場合、「光軸を通る平面（水平面）」も机上面に対して傾くことになる。
また、送風方向は、冷却ファン自体や、ダクトなどの流路を用いた冷却ファンなどで設定してもよい。
【００１２】
（適用例２）上記のプロジェクタであって、冷却ファンの各吐出口は、平面に略隣接し、略対称に配置されていることが好ましい。
【００１３】
上記プロジェクタでは、冷却ファンの各吐出口が、平面に略隣接し、略対称に配置されることにより、光源ランプに対して同じ側で、また、送風方向を隣接させて上下に重ねる形態で設定することができる。これにより、光源ランプを冷却するための送風方向をコンパクトな構成で実現でき、また、発光管を更に効率的に冷却することができる。
【００１４】
（適用例３）上記のプロジェクタであって、２つの冷却ファンの動作を制御するファン駆動制御部を備え、ファン駆動制御部は、当該プロジェクタを所定の第１姿勢と所定の第２姿勢とに切り替えて画像光を投写させる場合、第１姿勢と第２姿勢との姿勢に応じて、２つの冷却ファンの動作を制御することが好ましい。
【００１５】
上記プロジェクタでは、ファン駆動制御部が、プロジェクタを所定の第１姿勢（例えば、正置き姿勢）と所定の第２姿勢（例えば、天吊り姿勢）とに切り替えて画像光を投写させる場合、正置き姿勢と天吊り姿勢との姿勢に応じて２つの冷却ファンの動作を制御する。従って、ファン駆動制御部により、正置き姿勢と天吊り姿勢との姿勢に応じて各冷却ファンを適正に制御して駆動することで、光源ランプ（発光管）の上方側と下方側とに偏った温度差を生じさせず、上方側と下方側との温度分布が一様となるように冷却風を送風できる。
【００１６】
（適用例４）上記のプロジェクタであって、ファン駆動制御部は、第１姿勢と第２姿勢との姿勢に応じて、平面の上方で送風することになる一方の冷却ファンが、平面の下方で送風することになる他方の冷却ファンに比べて風量が多くなるように送風する制御を行なうことが好ましい。
【００１７】
上記プロジェクタでは、ファン駆動制御部が、第１姿勢（例えば、正置き姿勢）と第２姿勢（例えば、天吊り姿勢）との姿勢に応じて、平面の上方で送風することになる一方の冷却ファンが、平面の下方で送風することになる他方の冷却ファンに比べて風量が多くなるように送風する制御を行なう。光源ランプは、発光管の発光により発熱した熱は、対流により、発光管の上部側が下部側より高温となる。また、正置き姿勢や天吊り姿勢の場合にも、その姿勢において、発光管の上部（上方）側が下部（下方）側より高温となる。そこで、平面の上方で送風することになる一方の冷却ファンが、平面の下方で送風することになる他方の冷却ファンに比べて風量が多くなるように送風することで、光源ランプ（発光管）の上方側と下方側とに偏った温度差を生じさせず、上方側と下方側との温度分布が一様となるように冷却風を送風できる。また、例えば、特性が略同様の２つの冷却ファンを用いて風量を制御する場合には、１つの冷却ファンの駆動電圧と風量の相関関係に基づいて、駆動電圧を制御することができるため、異なる特性の２つの冷却ファンを用いる場合に比べて、より冷却ファンの風量の制御の仕方が簡易となる。
【００１８】
（適用例５）上記のプロジェクタであって、２つの冷却ファンは、遠心力ファンであり、相互に向かい合わせて外形が略一致するように重ねた場合に、略同方向に送風可能となるように、相互にミラー反転した構成を有していることが好ましい。
【００１９】
上記プロジェクタでは、２つの冷却ファンは、相互にミラー反転した構成を有することにより、相互に向かい合わせて外形が略一致するように重ねて略同方向に送風可能となる形態で使用することで、２つの冷却ファンの設置に要するスペースを最小限にすることができるため、光源ランプの冷却構造を小型化でき、プロジェクタの小型化を図ることができる。
【発明を実施するための最良の形態】
【００２０】
以下、実施形態を図面に基づいて説明する。
【００２１】
図１は、本実施形態に係るプロジェクタの構成を示すブロック図である。図１を参照して、本実施形態のプロジェクタ１の回路系と、光学系３０の一部とを含めて、構成および動作を説明する。
【００２２】
プロジェクタ１は、光源装置（光源ランプ３１）から射出された光束を、画像情報に応じて光変調部３５で変調して光学像を形成し、その光学像を投写光学装置（投写レンズ３９）を介し、カラー画像として、投写対象面としてのスクリーン１００などに投写するものである。なお、光学系３０の説明は図２を用いて後述する。
【００２３】
プロジェクタ１の回路系の構成に関して説明する。
本実施形態のプロジェクタ１は、Ａ／Ｄコンバータ１１、ビデオデコーダ１２、画像処理部１３、画像補正部１４、ＯＳＤ処理部１５、液晶パネル駆動部１６、ランプ駆動部１７、リモコン受光部１８、スイッチ部１９、キー入力処理部２０、電源部２１などから構成される。また、プロジェクタ１は、冷却制御部７０、内部温度検出部７１、冷却ファン駆動部７２、排気ファン７３、液晶パネル冷却ファン７４、第１冷却ファン７５、第２冷却ファン７６などから構成される。
【００２４】
また、プロジェクタ１は、制御部１０により統括制御されている。そして、制御部１０は、図示省略するＣＰＵ（Central Processing Unit）で構成される。このＣＰＵは、ＲＯＭ（Read Only Memory）およびＲＡＭ（Random Access Memory）を有して構成される。なお、上述した回路系の構成部や光学系３０は、プロジェクタ１の外装を構成する筐体５の内部に収容されている。
【００２５】
冷却制御部７０は、プロジェクタ１内部の冷却動作に関する制御を行なっている。また、冷却制御部７０は、制御部１０と同様に構成されている。なお、冷却制御部７０は、制御部１０の中の一部の機能として構成されていてもよい。
【００２６】
冷却ファン駆動部７２は、冷却制御部７０からの指示により、本実施形態では、４つの冷却用のファンとなる第１冷却ファン７５、第２冷却ファン７６、排気ファン７３、および液晶パネル冷却ファン７４に対し、それぞれ駆動電圧を出力して各ファンを駆動する。なお、第１冷却ファン７５、第２冷却ファン７６は、筐体５に設置される吸気口６を介して筐体５外部の外気を吸気して、光源ランプ３１に向けて送風し、発光により発生する熱を冷却している。第１冷却ファン７５、第２冷却ファン７６に関する詳細は後述する。
【００２７】
液晶パネル冷却ファン７４は、後述する光変調部３５を構成する液晶パネル３５ａ，３５ｂ，３５ｃ（図２参照）および液晶パネル３５ａ，３５ｂ，３５ｃ近傍に設置される偏光板３５ｅ，３５ｆ，３５ｇ（図２参照）を含めて、吸気口６を介して吸気した外気を送風し、それぞれの光学素子で発生する熱を冷却している。また、排気ファン７３は、第１冷却ファン７５、第２冷却ファン７６、液晶パネル冷却ファン７４の外気の送風により、光学素子の熱が伝達されて温まった空気や、他の筐体５内部の温まった空気を含め、筐体５外部に排気口７を介して排気している。
【００２８】
次に、他の回路系の動作説明を簡潔に行なう。
Ａ／Ｄコンバータ１１は、ＰＣ画像信号入力端子１１ａに入力したＰＣ画像データをデジタル信号に変換し、画像処理部１３に出力する。ビデオデコーダ１２は、ビデオ信号入力端子１２ａに入力した動画像データをデジタル信号に変換した後にＲ・Ｇ・Ｂの色信号に分離し、画像処理部１３に出力する。
【００２９】
画像処理部１３は、制御部１０の指示に基づいて、Ａ／Ｄコンバータ１１またはビデオデコーダ１２から入力したＰＣ画像データまたは動画像データ（以降、ＰＣ画像データまたは動画像データを画像データと称す）に、フレームレート変換およびスケーリング処理などを行なう。そして、画像処理部１３は、フレームレート変換、スケーリング処理などを行なった画像データを画像補正部１４に出力する。
【００３０】
画像補正部１４は、制御部１０の指示に基づいて、入力した画像データの内容に基づいて、画像データにブライトネス調整、コントラスト調整、ガンマ補正処理などを施す。このように加工された画像データは、ＯＳＤ処理部１５に出力される。
【００３１】
ＯＳＤ処理部１５は、制御部１０の指示に基づいて、メニュー画面やメッセージ画面などのＯＳＤ（On Screen Display）画像を、画像補正部１４から入力される画像データに重畳する処理を行なう。なお、制御部１０からＯＳＤ画像を重畳する旨の指示がない場合には、ＯＳＤ処理部１５は、画像補正部１４から出力される画像データを、そのまま投写用映像信号として液晶パネル駆動部１６に出力する。
【００３２】
液晶パネル駆動部１６は、ＯＳＤ処理部１５から入力した投写用映像信号をそれぞれの光変調部３５（液晶パネル３５ａ，３５ｂ，３５ｃ）に出力し駆動する。ランプ駆動部１７は、制御部１０の制御信号により、光源ランプ３１の点灯・消灯などの動作を実行させる。
【００３３】
リモコン受光部１８は、リモコン（リモートコントローラ）８から出力されるリモート制御信号を受信し、キー入力処理部２０に出力する。キー入力処理部２０は、入力したリモート制御信号をデジタルコードデータに変換して制御部１０に出力する。また、スイッチ部１９は、プロジェクタ１の外面に設置され、例えば押ボタン式のキースイッチを有しており、キースイッチを押下すると、押下されたキースイッチに応じて制御信号をキー入力処理部２０に出力する。キー入力処理部２０は、同様に、入力した制御信号をデジタルコードデータに変換して制御部１０に出力する。なお、制御部１０は、入力されたデジタルコードデータに対する制御信号を制御内容に応じて、画像処理部１３、画像補正部１４、ＯＳＤ処理部１５、ランプ駆動部１７、および冷却制御部７０などに出力することにより、投写条件の変更などの動作を実行させる。
【００３４】
また、電源部２１は、プロジェクタ１の外部の商用電源などから電源ケーブル（図示省略）を介して交流電力を導き、内蔵するＡＣ／ＤＣ変換部（図示省略）で変圧・整流・平滑などの処理を行ない、安定化させた直流電圧をプロジェクタ１を構成する各部に供給する。
【００３５】
内部温度検出部７１はサーミスタで構成されている。内部温度検出部７１は、光源ランプ３１の近傍および光変調部３５（液晶パネル３５ａ，３５ｂ，３５ｃ）の近傍にそれぞれ１つ設置され、光源ランプ３１の近傍および光変調部３５の近傍の温度を、光源ランプ温度、液晶パネル温度として、代用して検出する。
【００３６】
冷却制御部７０は、上述したように、プロジェクタ１内部の冷却動作に関する制御を行なっている。詳細には、冷却制御部７０は、内部温度検出部７１で検出された光源ランプ温度および液晶パネル温度と、初期的に設定されるそれぞれの所定の温度とに基づいて比較判断し、光源ランプ温度および液晶パネル温度が適正な温度範囲内となるように制御する。そして、冷却制御部７０は、初期的に設定される適正な温度範囲より高くなったと判断した場合には、冷却ファン駆動部７２を駆動し、対応する第１冷却ファン７５、第２冷却ファン７６、液晶パネル冷却ファン７４の駆動電圧の制御を行ない、高くなった光源ランプ温度または液晶パネル温度を適正な温度範囲内に入れる。
【００３７】
図２は、プロジェクタの光学系の構造を示す図である。図２を参照して、光学系３０の構成および動作を説明する。
【００３８】
なお、図２では、投写レンズ３９からの投写方向をＹ軸とし、Ｙ軸に直交する２軸をそれぞれＸ軸およびＺ軸とする。図２以降の図も同様である。なお、Ｘ軸およびＹ軸は、図２に示すように、光源ランプ３１から投写レンズ３９に至る光束の光軸Ａによって形成される平面（図２中、紙面に平行な面）内で互いに直交する軸である。また、Ｚ軸は、前記平面に直交する軸である。なお、光軸Ａによって形成される平面を、光軸を通る平面と呼称する。
【００３９】
本実施形態のプロジェクタ１の光学系３０は、発光により光束を射出する光源装置としての光源ランプ３１と、光源ランプ３１から射出された光束を複数の部分光束に分割し、液晶パネル３５ａ，３５ｂ，３５ｃ上に重畳して結像させる照明光学装置３２と、光源ランプ３１から射出された光束を赤緑青の３色光に分離する色分離光学系３３と、色分離光学系３３から射出された各色光により照明され、画像情報に応じて変調して光学像を形成する光変調部３５とを備える。また、プロジェクタ１は、光変調部３５により形成された各色光の光学像を合成するクロスダイクロイックプリズム３７と、クロスダイクロイックプリズム３７から射出される合成された光学像（カラー画像など）をスクリーン１００（図１参照）などに投写するための投写光学装置としての投写レンズ３９とを備える。
【００４０】
光源ランプ３１は、図２に示すように、一対の電極（図示省略）間で放電発光が行われる発光部３１１ａを有する発光管３１１と、発光管３１１（発光部３１１ａ）で発光した光束を前方（＋Ｘ軸方向）に反射する反射面を有するリフレクタ３１２とで構成される。また、光源ランプ３１は、防爆ガラス４０とランプハウジング５０とにより光源ユニット６０を構成している。防爆ガラス４０は、光源ランプ３１が、万が一に破裂した場合、光源ランプ３１以降の光学系３０に影響が及ぶことを防止するために、光源ランプ３１の前方に設置される透光性を有する部材である。また、ランプハウジング５０は、光源ランプ３１を内部に収容し、一方の端部に防爆ガラス４０を固定した部材である。
【００４１】
なお、光源ユニット６０は、プロジェクタ１から着脱自在（交換可能）に設置されている。そして、光源ユニット６０を交換する際は、ランプハウジング５０に形成されている把持部（図示省略）を把持して交換を行なうことができる。
また、図２に示す光学系３０には、光源ランプ３１を冷却する第１冷却ファン７５、第２冷却ファン７６も図示している。第１冷却ファン７５、第２冷却ファン７６に関しては後述する。
【００４２】
発光管３１１（発光部３１１ａ）で発行した光束は、リフレクタ３１２の反射面により光源ランプ３１の前方側に射出方向を揃えて集束光として射出され、防爆ガラス４０を透過する。透過した光束は、凹レンズ３２ｂによって平行化して次段の光学系３０に射出される。なお、本実施形態の光源ランプ３１は、放電式の高圧水銀ランプを用いている。また、本実施形態のリフレクタ３１２は、楕円面リフレクタで構成しているが、光源ランプ３１から射出された光束を略平行化して反射する放物面リフレクタとして構成してもよい。この場合には、凹レンズ３２ｂを省略する。
【００４３】
照明光学装置３２は、凹レンズ３２ｂと、一対のフライアイレンズ３２ｄ，３２ｅと、偏光変換部材３２ｇと、重畳レンズ３２ｈとを備える。凹レンズ３２ｂは、光源ランプ３１からの光束を平行化する役割を有するが、上述したように省略することもできる。一対のフライアイレンズ３２ｄ，３２ｅは、マトリクス状に配置された複数の要素レンズからなり、これらの要素レンズにより凹レンズ３２ｂを経た光源ランプ３１からの光束を部分光束に分割して個別に集光・発散させる。
【００４４】
偏光変換部材３２ｇは、フライアイレンズ３２ｅから射出された光束を例えば図２の紙面に垂直なＳ偏光成分のみに変換して次段の光学系３０に射出する。重畳レンズ３２ｈは、偏光変換部材３２ｇから射出された光束を全体として適宜収束（結像）させることにより、光変調部３５を構成する光変調装置としての各色光用の液晶パネル３５ａ，３５ｂ，３５ｃに対する重畳照明を可能にする。従って、両フライアイレンズ３２ｄ，３２ｅと偏光変換部材３２ｇと重畳レンズ３２ｈとを経た光束は、以下で説明する色分離光学系３３を経て、光変調部３５に設けられた各色光用の液晶パネル３５ａ，３５ｂ，３５ｃを均一に重畳照明する。
【００４５】
色分離光学系３３は、第１ダイクロイックミラー３３ａと、第２ダイクロイックミラー３３ｂと、補正光学系である３つのフィールドレンズ３３ｆ，３３ｇ，３３ｈと、反射ミラー３３ｊ，３３ｍ，３３ｎ，３３ｏとを備えて構成される。ここで、光源ランプ３１からの略白色の光束は、重畳レンズ３２ｈを経て、反射ミラー３３ｊで光路（光軸Ａ）を折り曲げられて第１ダイクロイックミラー３３ａに入射する。そして、第１ダイクロイックミラー３３ａは、赤緑青の３色光のうち、例えば赤色光および緑色光を反射し青色光を透過させる。また、第２ダイクロイックミラー３３ｂは、入射した赤色光および緑色光のうち、例えば緑色光を反射し赤色光を透過させる。
【００４６】
第１ダイクロイックミラー３３ａを通過した青色光は、例えばＳ偏光のまま、反射ミラー３３ｍを経てフィールドレンズ３３ｆに入射する。また、第１ダイクロイックミラー３３ａで反射されて第２ダイクロイックミラー３３ｂで更に反射された緑色光は、例えばＳ偏光のままフィールドレンズ３３ｇに入射する。更に、第２ダイクロイックミラー３３ｂを通過した赤色光は、例えばＳ偏光のまま、第１レンズＬＬ１、第２レンズＬＬ２、および反射ミラー３３ｎ，３３ｏを経て、入射角度を調節するためのフィールドレンズ３３ｈに入射する。第１レンズＬＬ１、第２レンズＬＬ２、およびフィールドレンズ３３ｈは、リレー光学系を構成している。このリレー光学系は、第１レンズＬＬ１の像を、第２レンズＬＬ２を介して略そのままフィールドレンズ３３ｈに伝達する機能を備えている。
【００４７】
光変調部３５は、光変調装置としての３つの液晶パネル３５ａ，３５ｂ，３５ｃと、各液晶パネル３５ａ，３５ｂ，３５ｃを挟むように配置される３組の偏光板３５ｅ，３５ｆ，３５ｇとを備える。ここで、青色光用の液晶パネル３５ａと、これを挟む一対の偏光板３５ｅとは、輝度変調後の光学像のうち青色光を画像情報に基づいて２次元的に輝度変調するための青色光用の液晶ライトバルブを構成する。同様に、緑色光用の液晶パネル３５ｂと、対応する偏光板３５ｆも、緑色光用の液晶ライトバルブを構成し、赤色光用の液晶パネル３５ｃと、偏光板３５ｇも、赤色光用の液晶ライトバルブを構成する。
【００４８】
青色光用の液晶パネル３５ａには、色分離光学系３３の第１ダイクロイックミラー３３ａを透過することにより分岐された青色光が、フィールドレンズ３３ｆを介して入射する。緑色光用の液晶パネル３５ｂには、色分離光学系３３の第２ダイクロイックミラー３３ｂで反射されることにより分岐された緑色光が、フィールドレンズ３３ｇを介して入射する。赤色光用の液晶パネル３５ｃは、第２ダイクロイックミラー３３ｂを透過することにより分岐された赤色光が、フィールドレンズ３３ｈを介して入射する。
【００４９】
各液晶パネル３５ａ，３５ｂ，３５ｃは、入射した各色光の空間的強度分布を変調する非発光型の光変調装置であり、各液晶パネル３５ａ，３５ｂ，３５ｃにそれぞれ入射した３色の色光は、各液晶パネル３５ａ，３５ｂ，３５ｃに電気的信号として入力された投写用映像信号に応じて変調される。その際、偏光板３５ｅ，３５ｆ，３５ｇにより、各液晶パネル３５ａ，３５ｂ，３５ｃに入射する各色光の偏光方向が調整されると共に、各液晶パネル３５ａ，３５ｂ，３５ｃから射出される変調光から所定の偏光方向の成分光が光学像として取り出される。
【００５０】
クロスダイクロイックプリズム３７は、光合成部材であり、４つの直角プリズムを貼り合わせた平面視略正方形状をなし、直角プリズム同士を貼り合わせた界面には、Ｘ字状に交差する一対の誘電体多層膜３７ａ，３７ｂが形成されている。一方の誘電体多層膜３７ａは青色光を反射し、他方の誘電体多層膜３７ｂは赤色光を反射する。
【００５１】
このクロスダイクロイックプリズム３７は、液晶パネル３５ａからの青色光を誘電体多層膜３７ａで反射して進行方向を右側（＋Ｙ軸方向）に射出させ、液晶パネル３５ｂからの緑色光を２つの誘電体多層膜３７ａ，３７ｂを介して直進・射出させ、液晶パネル３５ｃからの赤色光を誘電体多層膜３７ｂで反射して進行方向を左側（＋Ｙ軸方向）に射出させる。
【００５２】
投写レンズ３９は、クロスダイクロイックプリズム３７で合成されたカラーの光学像を、所望の倍率で、プロジェクタ１の外部に設置されるスクリーン１００上に投写する。つまり、各液晶パネル３５ａ，３５ｂ，３５ｃに入力された投写用映像信号に対応する所望の倍率のカラー動画やカラー静止画が、スクリーン１００上に投写される。
【００５３】
図３は、プロジェクタの姿勢を模式的に示す図であり、図３（ａ）は、正置き姿勢を示す図であり、図３（ｂ）は、天吊り姿勢を示す図であり、図３（ｃ）は、光軸を通る平面に関しての説明図である。図３を参照して、正置き姿勢αおよび天吊り姿勢βに関して説明する。
【００５４】
図３（ａ）に示すように、所定の第１姿勢としての正置き姿勢αとは、投写レンズ３９からの投写方向（Ｙ軸）が略水平方向となる姿勢を意味する。言い換えると、光源ランプ３１からの光軸Ａが、略水平となる姿勢を意味する。正置き姿勢αは、通常、机上面１１０などにプロジェクタ１を載置して使用する姿勢である。また、図３（ｂ）に示すように、所定の第２姿勢としての天吊り姿勢βとは、正置き姿勢α（図３（ａ））の状態からＸ軸（光軸Ａ）またはＹ軸を中心として１８０°回転させた姿勢を意味する。天吊り姿勢βは、通常、天井から吊り下げてプロジェクタ１を使用する姿勢である。
【００５５】
また、図３（ｃ）に示すように、プロジェクタ１を机上面１１０に載置した場合（正置き姿勢αの場合）、光源ランプ３１から射出される光束の光軸Ａは、机上面１１０に対して略平行となる。また、Ｘ軸とＹ軸とで形成される平面も机上面１１０に対して略平行となる。この状態で、光軸Ａを通る平面とは、光軸Ａを通り机上面１１０に平行な平面となる。言い換えると、光軸Ａを通る平面とは、Ｘ軸とＹ軸とで形成される平面に平行な平面となる。
【００５６】
プロジェクタ１の姿勢を正置き姿勢αまたは天吊り姿勢βに切り替えた（変更した）場合、例えば、正常な画像で使用している正置き姿勢αから天吊り姿勢βに変更した場合、本実施形態では、プロジェクタ１に対して画像の向きを１８０°回転させる制御（上下左右を逆転させる制御）を行なわせないと、天吊り姿勢βで投写された画像は上下左右が逆となる。また逆に、正常な画像で使用している天吊り姿勢βから正置き姿勢αに変更した場合も同様に、プロジェクタ１に対して画像の向きを１８０°回転させる制御を行なわせる必要がある。
【００５７】
なお、本実施形態では、上記のように、姿勢を変更した場合には、ユーザによるプロジェクタ１への操作指示入力により、変更した姿勢に対応する画像に切り替えることができる。詳細には、プロジェクタ１の姿勢を変更した場合、例えば正置き姿勢αから天吊り姿勢βに変更した場合、ユーザは、最初に、リモコン８またはスイッチ部１９を使用して、「投写条件を設定するメニュー画面に切り替える」旨の入力操作を行なう。この入力による信号をキー入力処理部２０で処理して制御部１０に出力する。制御部１０は、この信号に基づいて、対応する動作を行なうようにＯＳＤ処理部１５に指示する。ＯＳＤ処理部１５は、制御部１０からの指示に基づいて、投写条件を設定するメニュー画面に切り替え、そのメニュー画面を投写する。
【００５８】
次に、ユーザは、投写されたメニュー画面を確認して、リモコン８またはスイッチ部１９を使用して、「正置き姿勢αから天吊り姿勢βに変更した画像に切り替える」旨の項目をチェックする（入力操作を行なう）。制御部１０は、この入力操作を読み込み、対応する動作を行なうように画像処理部１３に指示する。画像処理部１３は、制御部１０からの指示に基づいて、現在の画像データに対して１８０°回転した画像データに変換して、次段に出力する。このような一連の動作の結果、投写される画像が１８０°回転した画像に切り替えられる。これにより、天吊り姿勢βにおいて、正常な投写画像とすることができる。
【００５９】
なお、天吊り姿勢βから正置き姿勢αに変更した場合も、同様に、投写条件を設定するメニュー画面に切り替え、次に、「天吊り姿勢βから正置き姿勢αに変更した画像に切り替える」旨の項目をチェックすることで、投写される画像が１８０°回転した画像に切り替えられる。この操作も上述したと同様のため、説明は省略する。
【００６０】
図４および図５は、光源ランプの冷却構造を模式的に示す図である。なお、図４は、＋Ｚ軸方向から見た場合の冷却構造を示す図である。また、図５は、光源ランプ３１の光束射出側（＋Ｘ軸方向）から見た場合の冷却構造を示す図である。図４および図５を参照して、本実施形態の光源ランプ３１の冷却構造に関して説明する。
【００６１】
第１冷却ファン７５および第２冷却ファン７６は、光源ユニット６０に対して設置されている。そして、第１冷却ファン７５および第２冷却ファン７６は、光源ユニット６０を構成する光源ランプ３１、詳細には発光管３１１に空気を送風して光源ランプ３１（発光管３１１）を冷却する。
【００６２】
なお、上述したが、光源ユニット６０は、光源ランプ３１、防爆ガラス４０、ランプハウジング５０とにより構成されている。そして、ランプハウジング５０は、図４、図５に示すように、光源ランプ３１を内部に収容し、＋Ｘ軸方向の端部に防爆ガラス４０を固定した略直方体形状を有している。
【００６３】
また、ランプハウジング５０は、図４、図５に示すように、Ｙ軸方向に交差する一方の端面には、光束が射出される前方側で、外部の空気を内部に導入するための導入口５１が略四角形に形成されている。また、導入口５１は、図５に示すように、光軸Ａを通る平面（この平面を平面Ｂと呼称する）を中心として、Ｚ軸方向で略対称となるように開口されている。また、ランプハウジング５０は、導入口５１に略対向する他方の端面において、導入口５１から導入された空気が光源ランプ３１の内部を流動し、その結果、温められた空気を外部に排出する排出口５２が形成されている。
【００６４】
また、導入口５１の内周縁に沿って、略四角形の管状を有する第１ダクト５１１が、ランプハウジング５０の内部に向かって突出するように形成されている。詳細には、第１ダクト５１１は、図４に示すように、導入口５１の内周縁から、ランプハウジング５０内部に向かって突出し、また、その送風方向の中心が発光管３１１の発光部３１１ａに略向くように、−Ｘ軸方向に傾斜した状態で形成されている。なお、第１ダクト５１１の先端は、リフレクタ３１２の反射面での光束の反射に影響しない位置まで延びている。そして、第１ダクト５１１は、導入口５１を介してランプハウジング５０内部に導入された空気を、−Ｙ軸方向から＋Ｙ軸方向に向け、また、傾斜した方向（発光部３１１ａに略向く方向）に整流する。詳細には、光軸Ａを通る平面Ｂを中心として、平面Ｂに略平行で略同方向（発光部３１１ａに略向く方向）で、平面Ｂに対して略対称となる方向に送風するように整流する。
【００６５】
第１冷却ファン７５および第２冷却ファン７６は、ファン回転軸方向から吸入した空気を回転接線方向に吐出する遠心力ファン（いわゆるシロッコファン）で構成されている。また、第１冷却ファン７５と第２冷却ファン７６とは、相互にミラー反転した構成を有している。その構成により、本実施形態では、シート状の防振部材１２０を介して、図５に示すように、第１冷却ファン７５と第２冷却ファン７６とを相互に向かい合わせ、図４、図５に示すように、それぞれの外形が略一致するように、Ｚ軸方向に重ねた形態としている。
【００６６】
この形態では、詳細には、第１冷却ファン７５は＋Ｚ軸方向から空気を吸入し、第２冷却ファン７６は−Ｚ軸方向から空気を吸入する。また、第１冷却ファン７５の吐出口７５１と第２冷却ファン７６の吐出口７６１とは、Ｚ軸方向で重なり、また、同方向（＋Ｙ軸方向）に送風可能となる。なお、本実施形態では、第１冷却ファン７５と第２冷却ファン７６とは、平面Ｂと略一致するように設置した防振部材１２０を挟持する形態で筐体５内部に固定されている。よって、第１冷却ファン７５の吐出口７５１と第２冷却ファン７６の吐出口７６１は、平面Ｂに略隣接し、略対称となる位置に配置されている。
【００６７】
なお、第１冷却ファン７５の＋Ｚ軸方向には、第１冷却ファン導入ダクト９１が設置され、第２冷却ファン７６の−Ｚ軸方向には、第２冷却ファン導入ダクト９２が設置されている。なお、この第１冷却ファン導入ダクト９１および第２冷却ファン導入ダクト９２は、図示省略するが、第３ダクト９０から分岐されたダクトとであり、第３ダクト９０は、図示省略するが、図１に示すように、筐体５に形成された吸気口６に接続されている。従って、第１冷却ファン７５および第２冷却ファン７６が駆動した場合、吸気口６から外気を第３ダクト９０内に導入（吸気）し、導入した空気は、第１冷却ファン導入ダクト９１および第２冷却ファン導入ダクト９２に分岐されて流動し、対応する第１冷却ファン７５および第２冷却ファン７６に導入することができる。
【００６８】
また、第１冷却ファン７５の吐出口７５１と第２冷却ファン７６の吐出口７６１は、ランプハウジング５０に形成された導入口５１と対向している。そして、吐出口７５１，７６１と導入口５１との間には、略四角形の管状を有する第２ダクト８０が設置されている。この第２ダクト８０は、吐出口７５１の外形に対応した管状の第１冷却ファン吐出ダクト８１と、吐出口７６１の外形に対応した管状の第２冷却ファン吐出ダクト８２とが連結した形態となっている。詳細には、第２ダクト８０は、図５に示すように、管中央部に隔壁８０ａを設けて第１冷却ファン吐出ダクト８１と第２冷却ファン吐出ダクト８２とを形成している。
【００６９】
なお、第２ダクト８０は、この隔壁８０ａの平面が平面Ｂと略一致するように設置している。従って、第２ダクト８０は、隔壁８０ａを中心（平面Ｂを中心）にしてＺ軸方向に対称に第１冷却ファン吐出ダクト８１と第２冷却ファン吐出ダクト８２とを構成している。なお、第１冷却ファン７５の吐出口７５１から吐出された空気は、第１冷却ファン吐出ダクト８１内を流動し、第２冷却ファン７６の吐出口７６１から吐出された空気は、第２冷却ファン吐出ダクト８２内を流動する。
【００７０】
次に、冷却構造における空気の流動に関して説明する。なお、図４、図５において、空気の流動方向を模式的に白抜き矢印で示している。
上述したように、第１冷却ファン７５、第２冷却ファン７６が駆動（回転）することにより、吸気口６を介して外気を吸気する。吸気した外気（空気）は、第３ダクト９０内を流動し、また、第１冷却ファン導入ダクト９１と第２冷却ファン導入ダクト９２とに分岐されて更に流動する。そして、第１冷却ファン導入ダクト９１内を流動した空気は、＋Ｚ軸方向から第１冷却ファン７５に導入（吸入）される。第１冷却ファン７５に吸入された空気は、吐出口７５１から＋Ｙ方向に吐出される。一方、第２冷却ファン導入ダクト９２内を流動した空気は、−Ｚ軸方向から第２冷却ファン７６に導入（吸入）される。第２冷却ファン７６に吸入された空気は、吐出口７６１から＋Ｙ方向に吐出される。
【００７１】
第１冷却ファン７５の吐出口７５１から吐出された空気は、第２ダクト８０の第１冷却ファン吐出ダクト８１内を流動する。なお、第１冷却ファン吐出ダクト８１の外形が吐出口７５１と略同一の形状であり、また、第１冷却ファン吐出ダクト８１に急激な断面変化や急激な曲がりがないため、第１冷却ファン吐出ダクト８１内を流動する空気は整流される。同じく、第２冷却ファン７６の吐出口７６１から吐出された空気は、第２ダクト８０の第２冷却ファン吐出ダクト８２内を流動する。また、第１冷却ファン吐出ダクト８１と同様に、第２冷却ファン吐出ダクト８２の外形が吐出口７６１と略同一の形状であり、また、第２冷却ファン吐出ダクト８２に急激な断面変化や急激な曲がりがないため、第２冷却ファン吐出ダクト８２内を流動する空気は整流される。
【００７２】
第１冷却ファン吐出ダクト８１内を流動した空気は、導入口５１から第１ダクト５１１内に流入する。なお、以降の説明上、この流入した空気を空気Ｗ１（図５参照）と呼称する。また、第２冷却ファン吐出ダクト８２内を流動した空気は、導入口５１から第１ダクト５１１内に流入する。なお、以降の説明上、この流入した空気を空気Ｗ２（図５参照）と呼称する。但し、図４には、流入した空気に符号を付記していないが、空気Ｗ１，Ｗ２とも、図中の白抜き矢印で略示すように光源ランプ３１内を流動する。
【００７３】
第１ダクト５１１内に流入した空気Ｗ１は、整流されたまま第１ダクト５１１内を流動し、第１ダクト５１１から吐出される。また、同様に、第１ダクト５１１内に流入した空気Ｗ２は、整流されたまま第１ダクト５１１内を流動し、第１ダクト５１１から吐出される。整流されて第１ダクト５１１から吐出された空気Ｗ１，Ｗ２は、光軸Ａを通る平面Ｂを中心として、平面Ｂに略平行で略同方向（発光部３１１ａに略向く方向）で、平面Ｂに対して略対称となる方向に向かう。また、空気Ｗ１，Ｗ２は、光軸Ａを通る平面Ｂに隣接して流動する。
【００７４】
従って、空気Ｗ１は、発光管３１１（発光部３１１ａ）を光軸Ａを通る平面ＢでＺ軸方向に２分割した＋Ｚ軸方向の領域側を主に流動する。これに対して、空気Ｗ２は、発光管３１１（発光部３１１ａ）を光軸Ａを通る平面ＢでＺ軸方向に２分割した−Ｚ軸方向の領域側を主に流動する。これにより、空気Ｗ１は、主に発光管３１１（発光部３１１ａ）の＋Ｚ軸方向の領域側を冷却し、空気Ｗ２は、主に発光管３１１（発光部３１１ａ）の−Ｚ軸方向の領域側を冷却することになる。また、このような送風方向で流動した空気Ｗ１，Ｗ２は、発光管３１１（発光部３１１ａ）の発生した熱を奪い、温められて、光源ランプ３１内を図４、図５に矢印で示すように流動し、ランプハウジング５０に形成された排出口５２を介して光源ユニット６０の外部に排出される。なお、排出された空気Ｗ１，Ｗ２は、前述したように、排気ファン７３により、排気口７を介して、プロジェクタ１の外部に排気される。このような一連の空気の流動により、光源ランプ３１で発生する熱が冷却される。
【００７５】
図６は、プロジェクタの姿勢と風量との関係を模式的に説明する図であり、図６（ａ）は、プロジェクタを正置き姿勢で使用する場合の模式図であり、図６（ｂ）は、プロジェクタを天吊り姿勢で使用する場合の模式図である。詳細には、図６（ａ）は、図３（ａ）に示したプロジェクタ１を正置き姿勢αで使用する場合であり、正置き姿勢αで使用するユーザが、光源ランプ３１の光束射出側（＋Ｘ軸方向）から見た場合を示す図である。また、図６（ｂ）は、図３（ｂ）に示したプロジェクタ１を天吊り姿勢βで使用する場合であり、天吊り姿勢βで使用するユーザが、光源ランプ３１の光束射出側（＋Ｘ軸方向）から見た場合を示す図である。図６を参照して、プロジェクタ１の正置き姿勢αと天吊り姿勢βとにおける風量との関係を説明する。
【００７６】
なお、図６においては、図中に白抜き矢印で示す空気Ｗ１，Ｗ２の矢印の幅は、空気Ｗ１，Ｗ２の風量の違いを示しており、幅が広い矢印は、幅が狭い矢印に比べて、風量が多いことを示している。
【００７７】
発光管３１１で発生する熱は、重力の方向に対して逆の方向となる上方に移動する。従って、プロジェクタ１を正置き姿勢αや天吊り姿勢βに姿勢を変更した場合であっても、その姿勢において、発光管３１１で発生する熱は、重力に対して、上方に対流して移動する。これにより、発光管３１１の下側（重力を基準とする）に比べて、発光管３１１の上側（重力を基準とする）の方が熱くなり易い。
【００７８】
図６（ａ）に示すように、プロジェクタ１を正置き姿勢αで使用する場合には、発光管３１１（発光部３１１ａ）は、光軸Ａを通る平面ＢでＺ軸方向に２分割した＋Ｚ軸方向の領域側（発光部３１１ａの上方側）が、−Ｚ軸方向の領域側（発光部３１１ａの下方側）より熱くなり易い。従って、正置き姿勢αにおいては、平面Ｂの上方で送風することになる第１冷却ファン７５から吐出する空気Ｗ１の風量を、平面Ｂの下方で送風することになる第２冷却ファン７６から吐出する空気Ｗ２の風量に比べて風量が多くなるように送風する。これにより、発光部３１１ａの上方側と下方側とに偏った温度差を生じさせず、上方側と下方側との温度分布が一様となる。
【００７９】
また、図６（ｂ）に示すように、プロジェクタ１を天吊り姿勢βで使用する場合には、発光管３１１（発光部３１１ａ）は、光軸Ａを通る平面ＢでＺ軸方向に２分割した−Ｚ軸方向の領域側（発光部３１１ａの上方側）が、＋Ｚ軸方向の領域側（発光部３１１ａの下方側）より熱くなり易い。従って、天吊り姿勢βにおいては、平面Ｂの上方で送風することになる第２冷却ファン７６から吐出する空気Ｗ２の風量を、平面Ｂの下方で送風することになる第１冷却ファン７５から吐出する空気Ｗ１の風量に比べて風量が多くなるように送風する。これにより、発光部３１１ａの上方側と下方側とに偏った温度差を生じさせず、上方側と下方側との温度分布が一様となる。
【００８０】
なお、第１冷却ファン７５と第２冷却ファン７６とは、本実施形態の場合、特性が略同様の冷却ファンを用いている。従って、プロジェクタ１の姿勢を変更した場合に、第１冷却ファン７５と第２冷却ファン７６の風量を切り替える場合には、第１冷却ファン７５または第２冷却ファン７６の１方の冷却ファンの駆動電圧と風量の相関関係に基づいて、駆動電圧を制御している。また、冷却制御部７０が記憶する駆動電圧の制御プログラムは、プロジェクタ１の姿勢が変更された場合、それに応じて、発光部３１１ａの上方側と下方側を動作させる冷却ファン（第１冷却ファン７５、第２冷却ファン７６）を切り替えることで対応している。なお、このような制御および駆動を行なうのは、ファン駆動制御部であり、ファン駆動制御部は、本実施形態では、制御部１０、冷却制御部７０、および冷却ファン駆動部７２を有して構成される。
【００８１】
なお、プロジェクタ１の姿勢を変更した場合には、ユーザによるプロジェクタ１への操作指示入力により、変更した姿勢に対応して、第１冷却ファン７５と第２冷却ファン７６の駆動電圧の制御を切り替える。また、この操作指示入力は、前述した、プロジェクタ１の姿勢を変更した場合に、投写する画像を切り替える場合の操作を行なうことに連動して切り替えることができる。従って、操作方法は、前述したと同様となるため、説明は省略する。
【００８２】
なお、制御部１０は、投写する画像を切り替える操作入力が行なわれたと判断した場合には、前述したように、ＯＳＤ処理部１５や画像処理部１３に指示することに併せて、冷却制御部７０に指示する。そして、冷却制御部７０は、駆動電圧の制御プログラムにおける第１冷却ファン７５と第２冷却ファン７６とを切り替えて、冷却ファン駆動部７２を駆動することにより、姿勢に対応した適正な制御を行なう。
【００８３】
上述した実施形態によれば以下の効果が得られる。
（１）本実施形態のプロジェクタ１によると、発光管３１１を有する光源ランプ３１と、発光管３１１を冷却する２つの冷却ファン（第１冷却ファン７５、第２冷却ファン７６）とを備える。そして、第１冷却ファン７５、第２冷却ファン７６による空気の各送風方向は、光束の光軸Ａを通る平面Ｂに略平行で略同方向にそれぞれ設定されている。このように、第１冷却ファン７５、第２冷却ファン７６の各送風方向は、光軸Ａを通る平面Ｂに略平行で略同方向となるように設定されることにより、発光管３１１に対し、発光管３１１の光軸Ａを通る平面Ｂの上方側となる領域と、下方側となる領域とを、光源ランプ３１に対して同じ側（本実施では、光源ランプ３１に対して−Ｙ軸側）から、第１冷却ファン７５と第２冷却ファン７６とにより効率よく冷却することができる。このように送風方向を設定することにより、プロジェクタ１を正置き姿勢αや天吊り姿勢βに切り替えた場合でも、光源ランプ３１（発光管３１１）の上方側と下方側とに偏った温度差を生じさせず、上方側と下方側との温度分布が一様となるように冷却風を送風できる。それにより、発光管３１１の白化や黒化の現象を抑制できるため、光源ランプ３１の寿命劣化を抑制でき、光源ランプ３１の長寿命化を図ることができる。また、発光管３１１の白化や黒化の現象を抑制できるため、光源ランプ３１の輝度低下を抑制でき、プロジェクタ１の投写品質も向上できる。
【００８４】
（２）本実施形態のプロジェクタ１によると、第１冷却ファン７５、第２冷却ファン７６の各吐出口７５１、７６１は、平面Ｂに略隣接し、略対称となる位置に配置されることにより、光源ランプ３１に対して同じ側（本実施形態では、光源ランプ３１に対して−Ｙ軸側）で、また、送風方向を隣接させて上下に重ねる形態で設定することができる。これにより、光源ランプ３１を冷却するための送風方向をコンパクトな構成で実現でき、また、発光管３１１を更に効率的に冷却することができる。
【００８５】
（３）本実施形態のプロジェクタ１によると、ファン駆動制御部としての、制御部１０、冷却制御部７０、および冷却ファン駆動部７２が、プロジェクタ１を所定の第１姿勢（正置き姿勢α）と所定の第２姿勢（天吊り姿勢β）とに切り替えて画像光を投写させる場合、正置き姿勢αと天吊り姿勢βとの姿勢に応じて第１冷却ファン７５と第２冷却ファン７６の動作を制御する。従って、ファン駆動制御部により、正置き姿勢αと天吊り姿勢βとの姿勢に応じて第１冷却ファン７５と第２冷却ファン７６とを適正に制御して駆動することで、光源ランプ３１（発光管３１１）の上方側と下方側とに偏った温度差を生じさせず、上方側と下方側との温度分布が一様となるように冷却風を送風できる。
【００８６】
（４）本実施形態のプロジェクタ１によると、ファン駆動制御部（制御部１０、冷却制御部７０、および冷却ファン駆動部７２）が、正置き姿勢αと天吊り姿勢βとの姿勢に応じて、平面Ｂの上方で送風することになる一方の冷却ファンが、平面Ｂの下方で送風することになる他方の冷却ファンに比べて風量が多くなるように送風する制御を行なう。これにより、光源ランプ３１（発光管３１１）の上方側と下方側とに偏った温度差を生じさせず、上方側と下方側との温度分布が一様となるように冷却風を送風できる。
【００８７】
（５）本実施形態のプロジェクタ１によると、第１冷却ファン７５と第２冷却ファン７６とは、相互にミラー反転した構成を有し、相互に向かい合わせて外形が略一致するように重ねて略同方向に送風可能となっている。この構成により、第１冷却ファン７５と第２冷却ファン７６の設置に要するスペースを最小限にすることができるため、光源ランプ３１の冷却構造を小型化でき、プロジェクタ１の小型化を図ることができる。
【００８８】
なお、上述した実施形態に限定されず、種々の変更や改良などを加えて実施することが可能である。変形例を以下に述べる。
（変形例１）前記実施形態のプロジェクタ１では、第１冷却ファン７５、第２冷却ファン７６の吐出口７５１，７６１に、第２ダクト８０を用いて、光源ユニット６０（ランプハウジング５０の導入口５１）に接続しているが、この第２ダクト８０は、第１冷却ファン７５、第２冷却ファン７６の吐出口７５１，７６１に直接形成することでもよい。
【００８９】
（変形例２）前記実施形態のプロジェクタ１では、第１冷却ファン７５、第２冷却ファン７６から吐出された空気Ｗ１，Ｗ２の送風方向は、平面Ｂに略隣接して略対称となる方向に設定されているが、隣接していなくても、また、対称でなくてもよく、平面Ｂに略平行で略同方向に送風する方向により、発光管３１１に対して空気Ｗ１，Ｗ２を送風するように、それぞれ設定されていればよい。
【００９０】
（変形例３）前記実施形態のプロジェクタ１では、第１冷却ファン７５と第２冷却ファン７６とは、相互に向かい合わせて外形が略一致するように重ねた場合に、略同方向に送風可能となるように、相互にミラー反転した構成を有しているが、この構成には限られない。２つの冷却ファンは外形などが異なっていてもよい。また、外形が同じ（特性が同じ）でもミラー反転した構成を有さなくてもよい。また、ミラー反転した構成であっても、あえて一致するように重ねる必要はなく、プロジェクタ１を構成する他の部材との配置関係により適宜配置することでもよい。
【００９１】
（変形例４）前記実施形態のプロジェクタ１では、送風方向として、光源ランプ３１に対して−Ｙ軸側から送風する形態としているが、これに限られず、＋Ｙ軸側、またはＸ軸方向から送風する形態としてもよい。
【００９２】
（変形例５）前記実施形態のプロジェクタ１では、第１冷却ファン７５、第２冷却ファン７６の位置は、平面Ｂと略一致するように、また、光源ランプ３１の近傍に、相互に向かい合わせて設置している。しかし、これに限られず、第１冷却ファン７５、第２冷却ファン７６の位置は、プロジェクタ１を構成する他の部材との配置関係により適宜配置することでもよい。そして、第１冷却ファン７５、第２冷却ファン７６の設置位置を決めた場合、その設置位置からダクトなどを用いて、本実施形態の場合では、ランプハウジング５０の導入口５１に接続する構造とすることでよい。
【００９３】
（変形例６）前記実施形態のプロジェクタ１の光学系３０において、光変調部３５を構成する光変調装置としての液晶パネル３５ａ，３５ｂ，３５ｃは、透過型の液晶パネルを用いているが、反射型の液晶パネルなど、反射型の光変調装置を用いることも可能である。
【００９４】
（変形例７）前記実施形態のプロジェクタ１の光学系３０において、光変調部３５を構成する光変調装置としての液晶パネル３５ａ，３５ｂ，３５ｃを用いている。しかし、これに限らず、一般に、入射光を画像情報に応じて変調するものであればよく、マイクロミラー型光変調装置などを用いてもよい。なお、マイクロミラー型光変調装置としては、例えば、ＤＭＤ（Digital Micro mirror Device）を用いることができる。
【００９５】
（変形例８）前記実施形態のプロジェクタ１の光学系３０において、光変調部３５を構成する光変調装置は、赤色光、緑色光、および青色光に対応する３つの液晶パネル３５ｃ，３５ｂ，３５ａを用いるいわゆる３板方式を採用しているが、これに限らず、単板方式を採用してもよい。また、コントラストを向上するための液晶パネルを追加して採用してもよい。
【００９６】
（変形例９）前記実施形態のプロジェクタ１は、フロントタイプのプロジェクタとして適用しているが、投写対象面としてのスクリーンを一体で有するリアタイプのプロジェクタにも適用できる。
【００９７】
なお、本発明を実施するための最良の形態を、上記記載で開示しているが、本発明は、これに限定されるものではない。すなわち、本発明は、主に特定の実施形態に関して図示し、かつ、説明しているが、本発明の技術的思想および目的の範囲から逸脱することなく、上述した実施形態に対し、詳細な構成部材の形状・材質・数量・設置位置などにおいて、当業者が様々な変形（変更ならびに改良）を加えることができるものである。従って、詳細な構成部材の形状・材質・数量・設置位置などにおいて、当業者が様々な変形を加えることにより実施する場合も本発明に含まれるものである。
【図面の簡単な説明】
【００９８】
【図１】本実施形態に係るプロジェクタの構成を示すブロック図。
【図２】プロジェクタの光学系の構造を示す図。
【図３】プロジェクタの姿勢を模式的に示す図であり、（ａ）は正置き姿勢を示す図であり、（ｂ）は天吊り姿勢を示す図であり、（ｃ）は光軸を通る平面に関しての説明図。
【図４】光源ランプの冷却構造を模式的に示す図。
【図５】光源ランプの冷却構造を模式的に示す図。
【図６】プロジェクタの姿勢と風量との関係を模式的に説明する図であり、（ａ）はプロジェクタを正置き姿勢で使用する場合の模式図であり、（ｂ）はプロジェクタを天吊り姿勢で使用する場合の模式図。
【符号の説明】
【００９９】
１…プロジェクタ、１０…制御部、３１…光源ランプ、４０…防爆ガラス、５０…ランプハウジング、５１…導入口、５２…排出口、６０…光源ユニット、７０…冷却制御部、７２…冷却ファン駆動部、７５…第１冷却ファン、７６…第２冷却ファン、８０…第２ダクト、９０…第３ダクト、１００…スクリーン、３１１…発光管、３１１ａ…発光部、３１２…リフレクタ、５１１…第１ダクト、Ａ…光軸、Ｂ…平面、Ｗ１，Ｗ２…空気、α…正置き姿勢、β…天吊り姿勢。
【図１】
2009198640.tif 000003
【図２】
2009198640.tif 000004
【図３】
2009198640.tif 000005
【図４】
2009198640.tif 000006
【図５】
2009198640.tif 000007
【図６】
2009198640.tif 000008